(57)【要約】      （修正有）【課題】履物のベルトの脱着、交換を容易ならしめ、且つ、ベルトを強固に固定することができ、それ自体の交換も容易な履物のベルト留め具を提供する。【解決手段】互いに係合、分離可能な受部材１と差込部材１１並びに差込部材１１の中空軸１２内に嵌入される固定用ピン２１から成り、差込部材１１は受部材１に差し込んだ後、中空軸１２内に固定用ピン２１を嵌入することにより、固定用ピン２１の作用で中空軸１２が受部材１に強固に密着させられることにより受部材１からの抜けが防止され、固定用ピン２１を引き抜いて前記作用を解除することにより、差込部材１１と受部材１との分離が可能となる履物のベルト留め具である。【選択図】図１
0003142969.tif 000002
【実用新案登録請求の範囲】
【請求項１】
互いに係合、分離可能な受部材と差込部材、並びに、前記差込部材の中空軸内に嵌入される固定用ピンから成り、前記差込部材は、前記受部材に差し込んだ後、その中空軸内に前記固定用ピンを嵌入することにより、前記固定用ピンの作用で前記中空軸が前記受部材に強固に密着させられることにより前記受部材からの抜けが防止され、前記固定用ピンを引き抜いて前記作用を解除することにより、前記差込部材と前記受部材との分離が可能となることを特徴とする履物のベルト留め具。
【請求項２】
前記差込部材はベースと前記ベースの中央部に立設される前記中空軸とから成っていて、前記中空軸の端部はスリットが入れられることにより拡縮可能な拡縮部とされ、前記受部材は、ベースと前記ベースの中央部に立設される支持筒とから成っていて、前記支持筒の内面上端部に差込まれた前記中空軸を係止する縮径部が形成されている請求項１に記載の履物のベルト留め具。
【請求項３】
前記支持筒の縮径部の内周面上端部はテーパ面にされている請求項２に記載の履物のベルト留め具。
【請求項４】
前記拡縮部は、外方に拡開した形状である請求項２に記載の履物のベルト留め具。
【請求項５】
前記拡縮部の各先割れ先端の内側面に、前記固定用ピンを前記中空軸に嵌入した際に前記固定用ピンに押圧される突部が形成されている請求項４に記載の履物のベルト留め具。
【請求項６】
前記差込部材のベースに前記固定用ピンのヘッドを納める凹陥部が形成され、前記固定用ピンを前記差込部材に嵌入した際に、前記凹陥部の内周面と前記固定用ピンのヘッドの外周面との間に、引掛用溝が確保される請求項１又は２に記載の履物のベルト留め具。
【請求項７】
使用時に表側に出る前記差込部材のベース及び／又は前記固定用ピンのヘッドに、装飾要素を持たせた請求項１乃至６のいずれかに記載の履物のベルト留め具。
【考案の詳細な説明】
【技術分野】
【０００１】
本考案は、履物のベルト留め具、より詳細には、甲部又は踵部に掛け回されるベルトを、履物本体の中間部に取り付けるために用いる履物のベルト留め具に関するものである。
【背景技術】
【０００２】
サンダル等の履物は、着用時に踵部分が露出することになるため、容易に着脱できる一方で、安定した装着状態を保つことができず、自動車の運転やランニングには不向きといった事情がある。そのため、近年の履物には、踵を履物に固定させて安定した装着状態を保つべく、所謂バックストラップ等のベルトが設けられる場合が多い。
【０００３】
一般に、このベルトは履物に回動可能に又は完全に固定され、あるいは、履物と一体となっており、容易に取り外すことができない。換言すると、ベルトの留め具は容易に脱着することができない構造となっており、時と場合に応じてベルトを外したり、交換したりすることは予定されていない。
【０００４】
更に、近年の留め具は、本来のベルトを留めるためだけでなく、装飾的効果をもたらすものとして利用されることも少なくない。しかし、従来の履物のベルト留め具は、上述したように、取り外して交換することは予定されていないので、購入時の留め具からのデザインの変更は困難である。
【０００５】
【特許文献１】実用新案登録第３１３５７３６号公報
【特許文献２】特開２００７−３７７５８号公報
【考案の開示】
【考案が解決しようとする課題】
【０００６】
上記のとおり、従来のベルトの留め具は脱着が容易ではなく、無理に取り外そうとすると破損するおそれがあり、また、装飾面では、履物購入後の履物のベルト留め具のデザイン変更が困難という状況であった。そこで本考案は、履物のベルトの脱着、交換を容易ならしめ、且つ、ベルトを強固に固定することができ、それ自体の交換も容易な履物のベルト留め具を提供することを課題とする。
【課題を解決するための手段】
【０００７】
上記課題を解決するための請求項１に記載の考案は、互いに係合、分離可能な受部材と差込部材、並びに、前記差込部材の中空軸内に嵌入される固定用ピンから成り、前記差込部材は、前記受部材に差し込んだ後、その中空軸内に前記固定用ピンを嵌入することにより、前記固定用ピンの作用で前記中空軸が前記受部材に強固に密着させられることにより前記受部材からの抜けが防止され、前記固定用ピンを引き抜いて前記作用を解除することにより、前記差込部材と前記受部材との分離が可能となることを特徴とする履物のベルト留め具である。
【０００８】
好ましい実施形態においては、前記差込部材はベースと前記ベースの中央部に立設される前記中空軸とから成っていて、前記中空軸の端部はスリットが入れられることにより拡縮可能な拡縮部とされる。また、前記受部材は、ベースと前記ベースの中央部に立設される支持筒とから成っていて、前記支持筒の内面上端部に差込まれた前記中空軸を係止する縮径部が形成される。前記支持筒の縮径部の内周面上端部はテーパ面とすることが好ましい。
【０００９】
前記拡縮部は、外方に拡開した形状とされ、前記拡縮部の各先割れ先端の内側面に、前記固定用ピンを前記中空軸に嵌入した際に前記固定用ピンに押圧される突部が形成される場合もある。
【００１０】
更に、前記差込部材のベースに前記固定用ピンのヘッドを納める凹陥部が形成され、前記固定用ピンを前記差込部材に嵌入した際に、前記凹陥部の内周面と前記固定用ピンのヘッドの外周面との間に、引掛用溝が確保され、更に好ましくは、使用時に表側に出る前記差込部材のベース及び／又は前記固定用ピンのヘッドに、装飾要素を持たせる。
【考案の効果】
【００１１】
本考案によれば、何人も容易に留め具の脱着が可能となり、時と場合に応じてベルトを脱着したり、交換したりすることができ、また、留め具自体の交換も容易であるので、使用者の趣好に合わせてベルト及び留め具を選択交換することができ、ファッション性の観点からも十分に購入者の趣好心を満足させ得る効果がある。
【考案を実施するための最良の形態】
【００１２】
本考案を実施するための最良の形態について、図面に依拠して説明する。図１は、本考案に係る履物のベルト留め具の一実施形態の分解斜視図であり、それは、受部材１と、受部材１に差込まれる差込部材１１と、差込部材１１の受部材１に対する固定状態を強固にする役割を担う固定用ピン２１とから成る。
【００１３】
受部材１は、ベース３の中央部に支持筒２を立設して成る。支持筒２の内面上部には、後述するようにして差込部材１１の中空軸１３を係止するための縮径部５が形成される。縮径部５の内周面上端部は、中空軸１３の挿入を容易にするためにテーパ面６とすることが好ましい。
【００１４】
図示した例では、支持筒２に開口部４を設けてあるが、この開口部４は必須のものではない。通例、受部材１が履物の内側に位置して足に接することになるので、着用時に足に与える違和感を最小限にすべく、ベース３はなるべく厚みを抑えることが好ましい。
【００１５】
差込部材１１は、ベース１３の中心部に中空軸１２を設けて成るもので、中空軸１２の先端には、その長さ方向に延びるスリット１４が複数入れられて複数の先割れ部１５が形成される。先割れ部１５の下端は外方に張り出していて、好ましくは、その内側面に突部１６が形成される。各先割れ部１５は外方に張り出しているために、中空軸１２の端部は外方に拡開した形状を呈する。また、スリット１４が設けられているために、各先割れ部１５は押圧されることにより、若干内外方向に傾動することができるので、中空軸１２端部は、若干拡縮動作可能な拡縮部となる。
【００１６】
更に、差込部材１１のベース１３には、固定用ピン２１のヘッド２２が収まる凹陥部１７が形成され、凹陥部１７の中心に、固定用ピン２１のピン軸２３を挿入する挿入口１８が形成される。そして、固定用ピン２１のピン軸２３をピン挿入口１８に挿入し、ヘッド２２を凹陥部１７内に収めた際に、凹陥部１７の内周面１９とヘッド２２の外周面との間に、指先やドライバー等を以てヘッド２２を掛止可能にするための掛止溝２０が確保されるようにする（図３、図４参照）。
【００１７】
上記構成の留め具を用いてベルト３１を履物本体に固定するには、先ず、履物本体の甲皮３２とベルト３１に互いに連通するように形成されている挿通孔に、甲皮３２の内側から受部材１の支持筒２を挿通する。
【００１８】
次いで、ベルト３１の挿通孔に露出している支持筒２の縮径部５内に、差込部材１１の中空軸１２を押し込む。その際、中空軸１２の先端の各先割れ部１５は、テーパ面６に当たることにより、内方向に滑って寄せられる。即ち、複数の先割れ部１５から成る拡縮部は、上方から押されることにより窄まり、縮径部５を通過することが可能となる。
【００１９】
上記拡縮部は、窄んだ状態で縮径部５を通過した後、その弾性によって元の拡開状態に戻り、縮径部５の下の広径部７内に収まる。この状態において拡縮部が縮径部５によって係止されるため、差込部材１１は支持筒２によってある程度保持されることになるが、差込部材１１を強く引張ると、拡縮部が縮径部５によって窄められるために、容易に抜き取り可能となる。
【００２０】
この差込部材１１の抜けを防止するために、受部材１に差込んだ差込部材１１に固定用ピン２１を嵌入する。即ち、そのピン軸２３をピン挿入口１８から挿入すると、ピン軸２３の周面が各先割れ部１５の内面の突部１６を押圧して拡縮部を拡状態にし、その状態を維持させる。かくして拡縮部は、固定用ピン２１を抜かない限り縮状態となることができないので、縮径部５を抜けることができない。即ち、差込部材１１を受部材１から抜き取ることができなくなる。
【００２１】
本留め具の交換等に際して差込部材１１を受部材１から抜く場合は、先ず、固定用ピン２１を引き抜くが、その場合、掛止溝２０に指先やドライバー等を引掛けて行うことで、その引き抜き操作が容易となる。
【００２２】
通例外側に露出することになる固定用ピン２１のヘッド２２に、適宜図柄や彩色を施し、場合によっては形状を円形以外の、例えばハート型、星型等にする等によって装飾的要素を付加し、且つ、ピン軸２３の径や長さを統一することによって、固定用ピン２１を任意に交換してその装飾的効果を楽しむことができるようになる。
【００２３】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００２４】
【図１】本考案に係るベルト留め具の分解斜視図である。
【図２】本考案に係るベルト留め具の組付け方法を示す傾斜図である。
【図３】本考案に係るベルト留め具の組付け方法を示す斜視図である。
【図４】本考案に係るベルト留め具の組付け時の部分断面図である。
【図５】本考案に係るベルト留め具の使用状態図（側面）である。
【図６】本考案に係るベルト留め具の使用状態図（上面）である。
【符号の説明】
【００２５】
１    受部材
２    支持筒
３    ベース
４    開口部
５    縮径部
６    テーパ面
７    広径部
１１    差込部材
１２    中空軸
１３    ベース
１４    スリット
１５    先割れ部
１６    突部
１７    凹陥部
１８    挿入口
１９    内周面
２０    掛止溝
２１    固定用ピン
２２    ヘッド
２３    ピン軸
３１    ベルト
３２    甲皮
【図１】
0003142969.tif 000003
【図２】
0003142969.tif 000004
【図３】
0003142969.tif 000005
【図４】
0003142969.tif 000006
【図５】
0003142969.tif 000007
【図６】
0003142969.tif 000008